(57)【要約】【課題】  下穴内に切り屑が入り込んだ状態でも良好にめねじを切削加工できるようにする。【解決手段】  ねじ部１６の先端側に突出センタ１８が設けられるとともに、その突出センタ１８にはギャッシュ２４が設けられているため、ねじ部１６が下穴内にねじ込まれてめねじを切削加工する際に、下穴内の切り屑がギャッシュ２４により掻き出されて良好にねじれ溝２０からシャンク１２側へ排出されるようになり、切り屑詰まりによるタップ加工トルクの増大や逆転の際の切り屑の噛み込みなどに起因するタップ折損が抑制される。また、突出センタ１８を設けるだけで良いため、従来のドリル付きタップに比較して突出寸法が小さくて済み、有底のねじ穴を加工する場合のねじ穴の底部の無駄な空間が小さくなって、底部近くまでめねじを切削加工できるようになり、加工条件の制約が緩和される。【選択図】      図１
2006255862.tif 000002
【特許請求の範囲】
【請求項１】
おねじを分断するように設けられたねじれ溝に沿って切れ刃が形成されているねじ部と、
該ねじ部よりも小径で該ねじ部と同心に設けられているとともに、前記ねじれ溝が該ねじ部に連続して形成されている首部と、
を有し、下穴内に前記ねじ部がねじ込まれることにより、前記切れ刃によって該下穴の内周面にめねじを切削加工するとともに、前記ねじれ溝によって切り屑をシャンク側へ排出するスパイラルタップにおいて、
前記ねじ部の先端側に軸方向へ突出するように同心に設けられるとともに、前記ねじれ溝が該ねじ部に連続して形成されている円錐形状の突出センタと、
該突出センタの前記ねじれ溝のうち前記切れ刃側の側壁に設けられたギャッシュと、
を有することを特徴とするスパイラルタップ。
【請求項２】
前記ギャッシュはストレートまたはスパイラルギャッシュで、前記突出センタの円錐の母線に対して５°〜２０°の範囲内の切込み角γで設けられている
ことを特徴とする請求項１に記載のスパイラルタップ。
【請求項３】
鋳物に設けられた下穴に対してめねじを切削加工するためのもので、
前記ねじ部におけるねじれ溝のねじれ角βは３０°〜５０°の範囲内で、前記切れ刃の刃数は２枚で、前記突出センタの先端角θは８０°〜１００°の範囲内で、前記ねじ部の長さＬは前記おねじの７ピッチ〜１０ピッチの範囲内で、前記首部の径寸法ｄは呼び径Ｄの５０％〜７０％の範囲内である
ことを特徴とする請求項１または２に記載のスパイラルタップ。
【発明の詳細な説明】
【技術分野】
【０００１】
本発明はスパイラルタップに係り、特に、下穴内に切り屑が入り込んだ状態でも良好にめねじを切削加工できるスパイラルタップに関するものである。
【背景技術】
【０００２】
(a) おねじを分断するように設けられたねじれ溝に沿って切れ刃が形成されているねじ部と、(b) そのねじ部よりも小径でそのねじ部と同心に設けられているとともに、前記ねじれ溝がそのねじ部に連続して形成されている首部と、を有し、(c) 下穴内に前記ねじ部がねじ込まれることにより、前記切れ刃によってその下穴の内周面にめねじを切削加工するとともに、前記ねじれ溝によって切り屑をシャンク側へ排出するスパイラルタップが、例えば特許文献１に記載されている。また、特許文献２には、ねじ部の先端側にドリルが設けられ、そのドリルによって下穴加工を行うとともに、その下穴加工に連続してめねじを切削加工するドリル付きタップが提案されている。
【特許文献１】特開２００５−７５２７号公報
【特許文献２】特開平１０−１０００２０号公報
【発明の開示】
【発明が解決しようとする課題】
【０００３】
ところで、門型の加工機等にて大型の鋳物品に多数のねじ穴を切削加工する場合、切削油を使用することが困難でドリル加工の切り屑を洗い流すことができないことがあるが、下穴内に細かな切り屑が入り込んだ状態でタップ加工を行うと、従来のスパイラルタップにおいても十分に切り屑を排出することができず、切り屑詰まりや逆転の際の切り屑の噛み込みなどでタップが折損してしまうという問題があった。このため、現状ではドリル加工後にバキューム等により手作業で切り屑を除去してからタップ加工を行うようにしており、労力と時間が必要であるとともに無人運転による自動化ができなかった。
【０００４】
一方、ドリル付きタップを用いて、下穴加工に連続してめねじを切削加工することが考えられるが、めねじを切削加工するねじ部の先端側にドリルが存在するため、有底のねじ穴を加工する場合、そのねじ穴の底部にドリル分の無駄な空間が必要で、底部近くまでめねじを設けることができず、加工条件によっては使用できない場合があった。上記のように下穴に対する切り屑の侵入が問題になるのは、通常は有底のねじ穴を加工する場合であり、ドリル付きタップを使用できないことがあるのである。
【０００５】
本発明は以上の事情を背景として為されたもので、その目的とするところは、下穴内に切り屑が入り込んだ状態でも良好にめねじを切削加工できるスパイラルタップを提供することにある。
【課題を解決するための手段】
【０００６】
かかる目的を達成するために、第１発明は、(a) おねじを分断するように設けられたねじれ溝に沿って切れ刃が形成されているねじ部と、(b) そのねじ部よりも小径でそのねじ部と同心に設けられているとともに、前記ねじれ溝がそのねじ部に連続して形成されている首部と、を有し、(c) 下穴内に前記ねじ部がねじ込まれることにより、前記切れ刃によってその下穴の内周面にめねじを切削加工するとともに、前記ねじれ溝によって切り屑をシャンク側へ排出するスパイラルタップにおいて、(d) 前記ねじ部の先端側に軸方向へ突出するように同心に設けられるとともに、前記ねじれ溝がそのねじ部に連続して形成されている円錐形状の突出センタと、(e) その突出センタの前記ねじれ溝のうち前記切れ刃側の側壁に設けられたギャッシュと、を有することを特徴とする。
【０００７】
第２発明は、第１発明のスパイラルタップにおいて、前記ギャッシュはストレートまたはスパイラルギャッシュで、前記突出センタの円錐の母線に対して５°〜２０°の範囲内の切込み角γで設けられていることを特徴とする。
【０００８】
第３発明は、第１発明または第２発明のスパイラルタップにおいて、(a) 鋳物に設けられた下穴に対してめねじを切削加工するためのもので、(b) 前記ねじ部におけるねじれ溝のねじれ角βは３０°〜５０°の範囲内で、前記切れ刃の刃数は２枚で、前記突出センタの先端角θは８０°〜１００°の範囲内で、前記ねじ部の長さＬは前記おねじの７ピッチ〜１０ピッチの範囲内で、前記首部の径寸法ｄは呼び径Ｄの５０％〜７０％の範囲内であることを特徴とする。
【発明の効果】
【０００９】
このようなスパイラルタップにおいては、ねじ部の先端側に円錐形状の突出センタが設けられるとともに、その突出センタにはねじれ溝の切れ刃側の側壁にギャッシュが設けられているため、ねじ部が下穴内にねじ込まれてめねじを切削加工する際に、下穴内の切り屑がギャッシュにより掻き出されて良好にねじれ溝内へ導かれ、そのねじれ溝からシャンク側へ排出される。これにより、切り屑詰まりによるタップ加工トルクの増大や逆転の際の切り屑の噛み込みなどに起因するタップの折損が抑制され、ドリル加工後の切り屑除去作業を省略できるとともに無人運転による自動化が可能となる。また、ねじ部の先端には円錐形状の突出センタが設けられるだけであるため、従来のドリル付きタップに比較して突出寸法が小さくて済み、有底のねじ穴を加工する場合のねじ穴の底部の無駄な空間が小さくなって、底部近くまでめねじを切削加工できるようになり、加工条件の制約が緩和される。
【００１０】
第２発明では、ギャッシュが突出センタの円錐の母線に対して５°〜２０°の範囲内の切込み角γで設けられているため、切り屑をねじれ溝内に導く掻き出し作用が良好に得られる。
【００１１】
第３発明は、鋳物に対するめねじ加工用のスパイラルタップで、一般に鋳物の切り屑は細かく分断されるため、下穴内の切り屑を前記ギャッシュにより掻き出して良好に排出することができる。また、ねじ部におけるねじれ溝のねじれ角βが３０°〜５０°の範囲内で、切れ刃の刃数は２枚で、突出センタの先端角θは８０°〜１００°の範囲内で、ねじ部の長さＬがおねじの７ピッチ〜１０ピッチの範囲内で、首部の径寸法ｄが呼び径Ｄの５０％〜７０％の範囲内であるため、切り屑収容容積を十分に確保して切り屑詰まりを回避しつつ、突出センタを切り屑で詰まった下穴内に良好に押し込みながらギャッシュにより切り屑を掻き出して、ねじれ溝によりシャンク側へ良好に排出することができる。
【発明を実施するための最良の形態】
【００１２】
本発明は、シャンク、首部、ねじ部、および突出センタが、その順番で同軸に一体に設けられているスパイラルタップに好適に適用されるが、その一部が別体に構成されてロー付けや焼き嵌め、ねじ等により一体的に固設されるものでも良い。スパイラルタップの基材としては、高速度工具鋼（ハイス）や超硬合金等の種々の工具材料を用いることが可能で、必要に応じてＴｉＡｌＮやＴｉＮ、ＴｉＣＮ等の硬質被膜をコーティングすることもできる。
【００１３】
本発明のスパイラルタップは、ねずみ鋳鉄等の鋳物に対してドライ加工でめねじを切削加工する場合、特に下穴内に切り屑が充満していたり、更にワーク上にも切り屑が山盛りになっていたりする場合に好適に用いられるが、他の被削材料にめねじを切削加工する場合に使用することもできる。潤滑油剤を十分に供給しながらタップ加工を行うウェット加工で用いることも可能である。
【００１４】
突出センタに設けられるギャッシュは、例えば研削砥石による研削加工や切削加工等によって設けられ、その断面形状は、例えば９０°〜１２０°程度の角度のＶ字型断面とされるが、円弧形状等の他の断面形状とすることもできる。このギャッシュは、例えば突出センタとねじ部との境界付近でねじれ溝の側壁と交差するように設けられるが、ギャッシュがねじ部まで侵入していても差し支えない。
【００１５】
ギャッシュは、例えば２枚刃のスパイラルタップの場合、一対のギャッシュの間隔である中心部厚みｔが０．５ｍｍ〜１．０ｍｍの範囲内となるように、突出センタの中心付近から設けることが望ましいが、例えば呼び径Ｄや切込み角γ等により中心部厚みｔを１．０ｍｍより大きくすることもできる。
【００１６】
ギャッシュの切込み角γは、５°より小さいと所定の掻き出し効果が得られなくなる一方、２０°より大きいと突出センタの強度が低下するため、５°〜２０°の範囲内が望ましいが、例えば先端角θや呼び径Ｄ、中心部厚みｔ等により５°〜２０°の範囲外で設定することもできる。
【００１７】
ねじ部におけるねじれ溝のねじれ角βは、切り屑の排出性の点で３０°〜５０°の範囲内が望ましい。切れ刃の刃数は、切り屑収容容積を確保する上で２枚が望ましい。突出センタの先端角θは、８０°より小さいと突出寸法が長くなって止り穴の底に当たり易くなる一方、１００°より大きいと切り屑を押し退け難くなってタップ加工負荷が大きくなるため、８０°〜１００°の範囲内が望ましい。ねじ部の長さＬは、おねじの７ピッチより少ないと案内性が損なわれる一方、１０ピッチより長くなると切り屑詰まりが生じ易くなるため、７ピッチ〜１０ピッチの範囲内が望ましい。首部の径寸法ｄは、呼び径Ｄの５０％より小さいと強度が低下する一方、７０％より大きいと切り屑の通り道が狭くなって排出性能が悪くなるため、５０％〜７０％の範囲内が望ましい。但し、上記各設定要素相互の関係や加工条件などにより上記の範囲外で定めることもできる。
【００１８】
首部、ねじ部、および突出センタに跨がって設けられるねじれ溝は、製造上の容易さからリードが一定となるように設けることが望ましく、その場合は径寸法の相違に伴ってねじれ角が変化するが、径寸法の相違に拘らずねじれ角が一定となるようにねじれ溝を設けることも可能である。
【実施例】
【００１９】
以下、本発明の実施例を図面を参照しつつ詳細に説明する。
図１は、本発明の一実施例である鋳物用の２枚刃のスパイラルタップ１０を示す図で、(a) は軸心と直角方向から見た正面図、(b) は先端部分の拡大図、(c) は(b) を先端側から見た端面図、(d) はギャッシュ２４の断面図である。また、図２は、このスパイラルタップ１０を撮影した写真で、(a) は図１(a) に相当するが先端側部分だけを写したものであり、(b) は図１(b) に相当し、(c) はタップ先端側からギャッシュ２４を写したものである。
【００２０】
このスパイラルタップ１０は、シャンク１２、首部１４、ねじ部１６、および突出センタ１８を、その順番で同一の軸線上に一体に備えており、ねじ部１６には加工すべきめねじに対応するねじ溝形状のおねじが設けられているとともに、そのおねじを分断するように一対のねじれ溝２０が軸心に対して対称的に設けられている。ねじ部１６は、ねじ山がテーパ状に除去された先端側の食付き部１６ａと、その食付き部１６ａに連続して設けられた完全なねじ山の完全山部１６ｂとを備えており、上記ねじれ溝２０との稜線部分に切れ刃２２が設けられている。この切れ刃２２のすくい角は、２°〜４°程度である。また、上記食付き部１６ａから前方へ突き出す円錐形状の突出センタ１８には、ねじれ溝２０のうち切れ刃２２側の側壁の開口縁部分をＶ字型（鉤型）に除去するようにギャッシュ２４が設けられ、突出センタ１８とねじ部１６との境界付近でねじれ溝２０の側壁と交差している。一対のねじれ溝２０は、それぞれ一定のリードのつる巻き線に沿って突出センタ１８からねじ部１６および首部１４に跨がって一繋がりで連続して設けられている。ねじれ溝２０の溝底径は略一定であるが、本実施例では１／８０程度の勾配でシャンク１２側へ向かうに従って小径とされている。
【００２１】
上記スパイラルタップ１０の呼びはＭ６×１、すなわち谷径が６ｍｍでピッチが１ｍｍの右ねじのめねじを切削加工するためのもので、高速度工具鋼（粉末ハイス）にて構成されているとともに、首部１４、ねじ部１６、および突出センタ１８には、ねじれ溝２０を含めてＴｉＣＮ被膜がコーティングされている。ねじ部１６の径寸法は呼び径Ｄ（＝６ｍｍ）で、シャンク１２の径寸法はねじ部１６と略同じであり、首部１４の径寸法（首径）ｄは呼び径Ｄの５０％〜７０％の範囲内で、本実施例では３．５ｍｍ（Ｄの約５８％）である。ねじ部１６におけるねじれ溝２０は右ねじれであるとともに、そのねじれ角βは３０°〜５０°の範囲内で、本実施例では約４３°である。突出センタ１８の先端角θは８０°〜１００°の範囲内で、本実施例では８５°であり、ねじ部１６の長さ（ねじ長）Ｌはおねじの７ピッチ〜１０ピッチの範囲内で、本実施例では９ピッチである。前記食付き部１６ａの長さは３ピッチで、完全山部１６ｂの長さは６ピッチである。
【００２２】
一方、前記ギャッシュ２４は、図１(c) の端面図において一対のギャッシュ２４の間隔である中心部厚みｔが０．７５ｍｍ〜０．６５ｍｍの範囲内となるように、突出センタ１８の先端中心付近から軸心と平行に設けられたストレートギャッシュであるとともに、突出センタ１８の円錐の母線に対する切込み角γは５°〜２０°の範囲内で、本実施例では１２．５°である。すなわち、本実施例では突出センタ１８の先端角θが８５°であるため、円錐母線角は８５°／２＝４２．５°であり、軸心に対して４２．５°−１２．５°＝３０°で傾斜するように、研削砥石をスパイラルタップ１０の軸心から離間させながらスパイラルタップ１０の軸方向へ相対移動させることにより、ギャッシュ２４が設けられているのである。また、研削砥石の形状に対応するギャッシュ溝角φ＝１１０°で、周方向のすくい角αが７°〜９°の範囲内とされている。図１の(c) は、ギャッシュ２４に対して直角な断面図である。
【００２３】
このようなスパイラルタップ１０においては、ねじ部１６の先端側に円錐形状の突出センタ１８が設けられるとともに、その突出センタ１８にはねじれ溝２０の切れ刃２２側の側壁の開口縁部分にギャッシュ２４が設けられているため、ねじ部１６が下穴内にねじ込まれてめねじを切削加工する際に、下穴内の切り屑がギャッシュ２４により掻き出されて良好にねじれ溝２０内へ導かれ、そのねじれ溝２０からシャンク１２側へ排出される。これにより、切り屑詰まりによるタップ加工トルクの増大や逆転の際の切り屑の噛み込みなどに起因するタップ折損が抑制され、ドリル加工後の切り屑除去作業を省略できるとともに無人運転による自動化が可能となる。また、ねじ部１６の先端には円錐形状の突出センタ１８が設けられるだけであるため、従来のドリル付きタップに比較して突出寸法が小さくて済み、有底のねじ穴を加工する場合のねじ穴の底部の無駄な空間が小さくなって、底部近くまでめねじを切削加工できるようになり、加工条件の制約が緩和される。
【００２４】
また、本実施例ではギャッシュ２４が、軸心と平行なストレートギャッシュであるため、スパイラルタップ１０を回転させることなく研削砥石を軸方向へ相対移動させることにより、ギャッシュ２４を容易に加工することができるとともに、そのギャッシュ２４の切込み角γは５°〜２０°の範囲内であるため、切り屑をねじれ溝２０内に導く掻き出し作用が良好に得られる。
【００２５】
また、本実施例のスパイラルタップ１０は鋳物用であるが、一般に鋳物の切り屑は細かく分断されるため、下穴内の切り屑を前記ギャッシュ２４により掻き出して良好に排出することができる。また、ねじ部１６におけるねじれ溝２０のねじれ角βが３０°〜５０°の範囲内で、切れ刃２２の刃数は２枚で、突出センタ１８の先端角θは８０°〜１００°の範囲内で、ねじ部１６のねじ長Ｌがおねじの７ピッチ〜１０ピッチの範囲内で、首部１４の径寸法ｄが呼び径Ｄの５０％〜７０％の範囲内であるため、切り屑収容容積を十分に確保して切り屑詰まりを回避しつつ、突出センタ１８を切り屑で詰まった下穴内に良好に押し込みながらギャッシュ２４により切り屑を掻き出して、ねじれ溝２０によりシャンク１２側へ良好に排出することができる。
【００２６】
図３は、上記スパイラルタップ１０と同様にＭ６×１のめねじ用で、前記ねじれ角β、切れ刃２２の刃数、突出センタ１８の先端角θ、ねじ長Ｌ、首径ｄ、ギャッシュ２４の切込み角γが異なる１４種類の試験品No１〜No１４を用意し、以下の加工条件で耐久性試験を行った結果を示す図である。
（加工条件）
・被削材：ＦＣ２５０（ねずみ鋳鉄）
・ねじ立て深さ：７ｍｍ
・下穴深さ：１８ｍｍ（切り屑が充満＋ワーク上に山盛り）
・下穴径：５．０ｍｍ
・切削油：ドライ
・切削速度：１０ｍ／ｍｉｎ
【００２７】
図３において網掛けを付した部分は、それぞれ工具寿命の原因と考えられる設定要素で、便宜的に前記スパイラルタップ１０と同じ符号を用いて具体的に説明すると、ねじれ溝２０のねじれ角βが２５°以下の試験品No１およびNo２では、ねじれ溝２０による切り屑排出作用が十分に得られず、それぞれ２穴目、１０穴目の逆転時に切り屑の噛み込みでタップが折損した。ねじれ角βが３５°或いは４５°の場合には、ねじれ溝２０による切り屑排出作用が十分に得られるようになり、試験品No３、４、６、１３、１４から明らかなように、他の設定要素の値が適切であれば十分な耐久性が得られる。
【００２８】
刃数が３枚の試験品No５では、各ねじれ溝２０の断面積（切り屑の収容容積）が小さくなるため、十分な切り屑排出性能が得られず、２穴目の逆転時に切り屑の噛み込みでタップが折損した。刃数が２枚の場合には、各ねじれ溝２０の断面積が大きくなって十分な切り屑排出性能が得られるようになり、試験品No３、４、６、１３、１４から明らかなように、他の設定要素の値が適切であれば十分な耐久性が得られる。
【００２９】
先端角θが１１０°の試験品No７では、突出センタ１８が切り屑を押し退けて下穴内に侵入する際のスラスト抵抗が大きくなるため、それだけタップ加工トルクが大きくなり、４５穴目の正転時にタップが折損した。先端角θが８５°或いは９５°の場合には、突出センタ１８が切り屑に侵入し易くなってタップ加工トルクが低減され、試験品No３、４、６、１３、１４から明らかなように、他の設定要素の値が適切であれば十分な耐久性が得られる。
【００３０】
ねじ部１６の長さ（ねじ長）Ｌが６ピッチの試験品No８では、ねじ部１６によるタップ加工時の案内作用が低下し、所定のめねじ精度が得られなかった。また、ねじ部１６の長さＬが１２ピッチの試験品No９では、ねじ部１６付近の切り屑排出性能が低下して切り屑が詰まり易くなり、３２穴目の正転時にタップが折損した。ねじ部１６の長さＬが９ピッチの場合には、ねじ部１６により所定の案内作用が得られるとともに十分な切り屑排出性能が得られるようになり、試験品No３、４、６、１３、１４から明らかなように、他の設定要素の値が適切であれば十分な耐久性が得られる。
【００３１】
首部１４の径寸法（首径）ｄが２．４ｍｍ（０．４Ｄ）の試験品No１０では、十分な強度が得られず、１穴目の正転時にタップが折損した。また、首部１４の径寸法ｄが４．７ｍｍ（０．７８Ｄ）の試験品No１１では、首部１４における切り屑排出性能が低下し、１０穴目の逆転時に切り屑の噛み込みでタップが折損した。首部１４の径寸法ｄが３．５ｍｍ（０．５８Ｄ）の場合には、所定の強度が得られるとともに十分な切り屑排出性能が得られるようになり、試験品No３、４、６、１３、１４から明らかなように、他の設定要素の値が適切であれば十分な耐久性が得られる。なお、図３に示されている「％」は、呼び径Ｄに対する割合である。
【００３２】
ギャッシュ２４の切込み角γが０°、すなわちギャッシュ２４が無い場合の試験品No１２では、下穴内の切り屑を掻き出して排出することができず、１穴目の正転時にタップが折損した。切込み角γが７．５°、１２．５°、１７．５°の場合には、下穴内の切り屑を掻き出して排出できるようになり、試験品No３、４、６、１３、１４から明らかなように、他の設定要素の値が適切であれば十分な耐久性が得られる。
【００３３】
以上、本発明の実施例を図面に基づいて詳細に説明したが、これはあくまでも一実施形態であり、本発明は当業者の知識に基づいて種々の変更，改良を加えた態様で実施することができる。
【図面の簡単な説明】
【００３４】
【図１】本発明の一実施例であるスパイラルタップを示す図で、(a) は正面図、(b) は先端側部分の拡大図、(c) は(b) を先端側から見た端面図、(d) はギャッシュに直角な断面図である。
【図２】図１のスパイラルタップの写真を示す図で、(a) は先端側部分の外観写真、(b) は先端部拡大写真、(c) はギャッシュの拡大写真である。
【図３】各種の設定要素の値を変更した１４種類の試験品を用いて耐久性試験を行った結果を示す図である。
【符号の説明】
【００３５】
１０：スパイラルタップ    １２：シャンク    １４：首部    １６：ねじ部    １８：突出センタ    ２０：ねじれ溝    ２２：切れ刃    ２４：ギャッシュ
【図１】
2006255862.tif 000003
【図２】
2006255862.tif 000004
【図３】
2006255862.tif 000005